(57)【要約】【課題】クライアントのコンピュータを、そのコンピュータを構成する部品について自己検査する自己検査装置として機能させて検査を実行する。【解決手段】クライアントがコンピュータ製品をＢＴＯ（Ｂｕｉｌｄ  Ｔｏ  Ｏｒｄｅｒ）の方式で注文する際に指定した部品に関する指定情報を含む注文情報をシリアル番号と関連付けてデータベース化し、クライアントからのシリアル番号の入力を受けたときに指定情報を検索してクライアントのコンピュータに送信する（Ｓ２０８，Ｓ２１０）。クライアントのコンピュータは、自己のハードウェア構成とソフトウェア構成の部品に関する部品情報をチェックし（Ｓ２１２）、その部品情報と受信した指定情報とが一致しているか否かを比較して（Ｓ２１４）、その結果をディスプレイに表示する（Ｓ２１６）。【選択図】        図６
2004213457.tif 000002
【特許請求の範囲】
【請求項１】
複数の部品のうち指定された部品を組み合わせて製造された製品の一部をなすと共に該製品を構成する部品を自己検査する自己検査装置であって、
前記部品の指定に関する指定情報を取得する指定情報取得手段と、
前記製造された製品を構成する部品に関する部品情報を該製品に対する問い合わせを伴って取得する部品情報取得手段と、
前記取得された指定情報と前記取得された部品情報とに基づいて前記製造された製品を構成する部品を検査する検査手段と、
該検査手段による検査結果を出力する出力手段と
を備える自己検査装置。
【請求項２】
請求項１記載の自己検査装置であって、
前記指定情報取得手段は、前記指定情報をネットワークを介して取得する手段である
自己検査装置。
【請求項３】
請求項１記載の自己検査装置であって、
前記製品を構成する部品の一つとして前記指定情報を含む情報が予め記憶された情報記憶手段を備え、
前記指定情報取得手段は、前記情報記憶手段に記憶された指定情報を読み出す手段である
自己検査装置。
【請求項４】
請求項３記載の自己検査装置であって、
前記情報記憶手段は、ハードディスク装置である
自己検査装置。
【請求項５】
請求項１ないし４いずれか記載の自己検査装置であって、
前記検査手段は、前記取得された指定情報と前記取得された部品情報との比較により前記製造された製品を構成する部品を検査する手段である
自己検査装置。
【請求項６】
請求項１ないし５いずれか記載の自己検査装置であって、
前記出力手段は、前記検査結果を表示出力する手段である
自己検査装置。
【請求項７】
請求項１ないし６いずれか記載の自己検査装置であって、
前記出力手段は、前記検査結果をネットワークを介して前記製品に関する情報を管理する情報管理システムに出力する手段である
自己検査装置。
【請求項８】
請求項２に係る請求項５ないし７いずれか記載の自己検査装置にネットワークを介して接続された情報管理システムであって、
前記指定情報を前記製品を識別する識別情報と関連付けて記憶する指定情報記憶手段と、
前記製品を識別する識別情報を前記ネットワークを介して前記自己検査装置から受け付ける識別情報受付手段と、
該識別情報受付手段により識別情報が受け付けられたとき、前記指定情報記憶手段に記憶されている指定情報のうち該取得された識別情報に対応する指定情報を検索して該受け付けられた識別情報に対応する自己検査装置に前記ネットワークを介して送信する指定情報送信手段と
を備える情報管理システム。
【請求項９】
複数の部品のうち指定された部品を組み合わせて製造された製品の一部をなすと共に該製品を構成する部品を自己検査する自己検査装置を制御する自己検査装置の制御方法であって、
前記自己検査装置を、前記部品の指定に関する指定情報が取得されると共に前記製造された製品を構成する部品に関する部品情報が該製品に対する問い合わせを伴って取得され、前記取得された指定情報と前記取得された部品情報とに基づいて前記製品を構成する部品が検査され、該検査の結果が出力されるよう制御する
自己検査装置の制御方法。
【請求項１０】
コンピュータを、複数の部品のうち指定された部品を組み合わせて製造された製品の一部をなすと共に該製品を構成する部品を自己検査する自己検査装置として機能させるための自己検査装置用のプログラムであって、
コンピュータに、
（ａ）前記部品の指定に関する指定情報を取得する手順と、
（ｂ）前記製造された製品を構成する部品に関する部品情報を該製品に対する問い合わせを伴って取得する手順と、
（ｃ）前記取得された指定情報と前記取得された部品情報とに基づいて前記製造された製品を構成する部品を検査する手順と
を実行させるプログラム。
【請求項１１】
請求項１０記載の自己検査装置用のプログラムであって、
更に、
（ｄ）前記手順（ｃ）による検査の結果を出力する手順
を実行させるプログラム。
【請求項１２】
請求項１０または１１記載のプログラムであって、
前記プログラムは、ネットワークに接続された前記自己検査装置からの要求に応じて該自己検査装置に前記ネットワークを介して配信されるプログラムである
自己検査装置用のプログラム。
【請求項１３】
請求項１２記載の自己検査装置用のプログラムであって、
前記プログラムは、前記自己検査装置に配信されたときに自動的に実行されるプログラムである
自己検査装置用のプログラム。
【請求項１４】
複数の部品のうち指定された部品を組み合わせて製造された製品の一部をなすと共に請求項１０ないし１３いずれか記載の自己検査装置用のプログラムを実行することにより前記製品を構成する部品を自己検査する自己検査装置にネットワークを介して接続された情報管理システムであって、
前記自己検査装置からの要求に応じて該自己検査装置に前記ネットワークを介して前記プログラムを配信するプログラム配信手段
を備える情報管理システム。
【発明の詳細な説明】
【０００１】
【発明の属する技術分野】
本発明は、自己検査装置および自己検査装置の制御方法並びに自己検査装置用のプログラム，情報管理システムに関し、詳しくは、複数の部品のうち指定された部品を組み合わせて製造された製品の一部をなすと共に該製品を構成する部品を自己検査する自己検査装置およびこの自己検査装置を制御する自己検査装置の制御方法並びにコンピュータを自己検査装置として機能させる自己検査装置用のプログラム、情報管理システムに関する。
【０００２】
【従来の技術】
従来より、インターネット上などで顧客が商品（例えば、パーソナルコンピュータ）を購入する際、複数の部品から希望する部品を指定して商品を注文するいわゆるＢＴＯ（Ｂｕｉｌｔ  ｔｏ  Ｏｒｄｅｒ）によるオンライン販売の形態が提案されている（特許文献１参照）。顧客により所望の部品が指定されて商品が注文されると、組立工場において顧客が指定した部品をピックアップしてこれらを組み立てて商品として完成させている。そして、商品を構成している部品と顧客が指定した部品とが一致しているか否かの検査作業を行なってから、出荷がなされている。
【０００３】
【特許文献１】
特開平１４−１８９８９１号公報
【０００４】
【発明が解決しようとする課題】
しかしながら、従来では、組み立てられた商品を構成している部品と顧客が指定した部品とが一致しているか否かの検査は検査工程票のような書類を用いて組立工場で行なわれていたため、商品の出荷後にこうした検査を行なうことが困難であると共に検査作業が煩雑となり、検査ミスも多くなるという問題があった。
【０００５】
本発明の自己検査装置および自己検査装置の制御方法は、こうした問題を解決し、製品を構成する部品をより容易かつ正確に自己検査することを目的の一つとする。また、本発明の自己検査装置用のプログラムは、コンピュータを上記の自己検査装置として機能させることを目的の一つとする。さらに、本発明の情報管理システムは、上記の自己検査装置による検査に必要な情報を的確に提供することを目的の一つとする。
【０００６】
【課題を解決するための手段およびその作用・効果】
本発明の自己検査装置および自己検査装置の制御方法並びに自己検査装置用のプログラム，情報管理システムは、上述の目的の少なくとも一部を達成するために以下の手段を採った。
【０００７】
本発明の自己検査装置は、
複数の部品のうち指定された部品を組み合わせて製造された製品の一部をなすと共に該製品を構成する部品を自己検査する自己検査装置であって、
前記部品の指定に関する指定情報を取得する指定情報取得手段と、
前記製造された製品を構成する部品に関する部品情報を該製品に対する問い合わせを伴って取得する部品情報取得手段と、
前記取得された指定情報と前記取得された部品情報とに基づいて前記製造された製品を構成する部品を検査する検査手段と、
該検査手段による検査結果を出力する出力手段と
を備えることを要旨とする。
【０００８】
この本発明の自己検査装置では、部品の指定に関する指定情報を取得すると共に製造された製品を構成する部品に関する部品情報を製品に対する問い合わせを伴って取得し、取得された指定情報と部品情報とに基づいて製造された製品を構成する部品を検査し、検査の結果を出力する。したがって、製造された製品を構成する部品の自己検査を比較的容易に且つ的確に行なうことができる。ここで、「部品」には、ハードウェアの他、ソフトウェアも含まれる（以下同じ）。
【０００９】
こうした本発明の自己検査装置において、前記指定情報取得手段は、前記指定情報をネットワークを介して取得する手段であるものとすることもできるし、本発明の自己検査装置において、前記製品を構成する部品の一つとして前記指定情報を含む情報が予め記憶された情報記憶手段を備え、前記指定情報取得手段は、前記情報記憶手段に記憶された指定情報を読み出す手段であるものとすることもできる。こうすれば、前者では、指定情報を製品に記憶しておく必要がないから製品の負担を低減でき、後者では、指定情報を製品に予め記憶しておくからネットワークの接続なしに自己検査を行なうことができる。なお、後者において、前記情報記憶手段は、ハードディスク装置であるものとすることもできる。
【００１０】
また、本発明の自己検査装置において、前記検査手段は、前記取得された指定情報と前記取得された部品情報との比較により前記製造された製品を構成する部品を検査する手段であるものとすることもできる。
【００１１】
さらに、本発明の自己検査装置において、前記出力手段は、前記検査結果を表示出力する手段であるものとすることもできる。こうすれば、ユーザは自己検査の結果を直ぐに知ることができる。
【００１２】
また、本発明の自己検査装置において、前記出力手段は、前記検査結果をネットワークを介して前記製品に関する情報を管理する情報管理システムに出力する手段であるものとすることもできる。こうすれば、情報管理システムにおいて製品の管理を効率的に行なうことができる。
【００１３】
本発明の第１の情報管理システムは、
上述の指定情報をネットワークを介して取得する態様の本発明の自己検査装置にネットワークを介して接続された情報管理システムであって、
前記指定情報を前記製品を識別する識別情報と関連付けて記憶する指定情報記憶手段と、
前記製品を識別する識別情報を前記ネットワークを介して前記自己検査装置から受け付ける識別情報受付手段と、
前記識別情報受付手段により識別情報が受け付けられたとき、前記指定情報記憶手段に記憶されている指定情報のうち該受け付けられた識別情報に対応する指定情報を検索して該取得された識別情報に対応する自己検査装置に前記ネットワークを介して送信する指定情報送信手段と
を備えることを要旨とする。
【００１４】
この本発明の第１の情報管理システムでは、指定情報を製品を識別する識別情報と関連付けて記憶し、製品を識別する識別情報をネットワークを介して自己検査装置から受け付け、識別情報が受け付けられたときに記憶された指定情報のうち受け付けられた識別情報に対応する指定情報を検索して識別情報に対応する自己検査装置にネットワークを介して送信する。したがって、各製品毎に対応した指定情報をネットワークを介して効率的に送信することができる。
【００１５】
本発明の自己検査装置の制御方法は、
複数の部品のうち指定された部品を組み合わせて製造された製品の一部をなすと共に該製品を構成する部品を自己検査する自己検査装置を制御する自己検査装置の制御方法であって、
前記自己検査装置を、前記部品の指定に関する指定情報が取得されると共に前記製造された製品を構成する部品に関する部品情報が該製品に対する問い合わせを伴って取得され、前記取得された指定情報と前記取得された部品情報とに基づいて前記製品を構成する部品が検査され、該検査の結果が出力されるよう制御することを要旨とする。
【００１６】
この本発明の自己検査装置の制御方法では、自己検査装置を、部品の指定に関する指定情報が取得されると共に製造された製品を構成する部品に関する部品情報がその製品に対する問い合わせを伴って取得され、取得された指定情報と部品情報とに基づいて製品を構成する部品が検査され、検査の結果が出力されるよう制御する。したがって、製造された製品を構成する部品の自己検査を比較的容易に且つ的確に行なうことができる。
【００１７】
本発明の自己検査装置用のプログラムは、
コンピュータを、複数の部品のうち指定された部品を組み合わせて製造された製品の一部をなすと共に該製品を構成する部品を自己検査する自己検査装置として機能させるための自己検査装置用のプログラムであって、
コンピュータに、
（ａ）前記部品の指定に関する指定情報を取得する手順と、
（ｂ）前記製造された製品を構成する部品に関する部品情報を該製品に対する問い合わせを伴って取得する手順と、
（ｃ）前記取得された指定情報と前記取得された部品情報とに基づいて前記製造された製品を構成する部品を検査する手順と
を実行させることを要旨とする。
【００１８】
この本発明の自己検査装置用のプログラムでは、コンピュータを上述の本発明の自己検査装置として機能させるから、本発明の自己検査装置と同様の効果、すなわち製造された製品を構成する部品の自己検査を比較的容易に且つ的確に行なうことができるなどの効果を奏することができる。
【００１９】
こうした本発明の自己検査装置用のプログラムにおいて、更に、（ｄ）前記手順（ｃ）による検査の結果を出力する手順を実行させるものとすることもできる。
【００２０】
また、本発明の自己検査装置用のプログラムにおいて、前記プログラムは、ネットワークに接続された前記自己検査装置からの要求に応じて該自己検査装置に前記ネットワークを介して配信されるプログラムであるものとすることもできる。こうすれば、自己検査装置側で自己検査装置用のプログラムを記憶しておく必要がなく、また、プログラムのバージョンアップに迅速に対応することもできる。この態様の本発明のプログラムにおいて、前記プログラムは、前記自己検査装置に配信されたときに自動的に実行されるプログラムであるものとすることもできる。こうすれば、製品を構成する部品についての自己検査をより容易に行なうことができる。
【００２１】
本発明の第２の情報管理システムは、
複数の部品のうち指定された部品を組み合わせて製造された製品の一部をなすと共に上述の各態様の本発明の自己検査装置用のプログラムを実行することにより前記製品を構成する部品を自己検査する自己検査装置にネットワークを介して接続された情報管理システムであって、
前記自己検査装置からの要求に応じて該自己検査装置に前記ネットワークを介して前記プログラムを配信するプログラム配信手段
を備えることを要旨とする。
【００２２】
この本発明の第２の情報管理システムでは、ネットワークに接続された自己検査装置からの要求に基づいて自己検査装置用のプログラムを配信するから、自己検査装置側で自己検査装置用のプログラムを記憶しておく必要がなく、また、ウプログラムのバージョンアップに迅速に対応することができる。
【００２３】
【発明の実施の形態】
次に、本発明の実施の形態を実施例を用いて説明する。図１は、本発明の一実施例である自己検査装置として機能するコンピュータ２２を有する検査システム１０の構成の概略を示す構成図である。検査システム１０は、所定のウェブサイトを提供するＷｅｂサーバ３２と所定の情報を記憶するデータベース３４ａを有する情報管理サーバ３４とがＬＡＮ３６により接続されて構成された情報管理システム３０と、この情報管理システム３０とインターネット１２を介して接続されたクライアント２０のコンピュータ２２とを備える。
【００２４】
情報管理システム３０を構成するＷｅｂサーバ３２は、インターネット１２に接続されたコンピュータ２２のクライアント２０がコンピュータ製品をオンラインで購入するにあたりＣＰＵの種類やメモリの容量、ハードディスク装置の容量、ＯＳの種類、アプリケーションソフトの種類などの部品の種類を複数種類の中から任意に指定して注文できるＢＴＯ（Ｂｕｉｌｄ  Ｔｏ  Ｏｒｄｅｒ）販売方式のウェブサイトを提供する。情報管理システム３０は、クライアント２０から注文情報を受け付けると、注文情報毎に固有のシリアル番号を付与して情報管理サーバ３４にＬＡＮ３６を通じて出力する。ここで、注文情報には、購入製品の機種名やクライアント２０による部品の種類の指定に関する指定情報などの製品データや、クライアント２０の氏名，住所，電話番号，電子メールアドレスなどの個人データ、料金の支払い方法に関するデータなどが含まれる。
【００２５】
また、情報管理システム３０は、ＢＴＯ販売方式で販売されたコンピュータ２２を実施例の自己検査装置として機能させるための検査用のプログラムやその他の検査に必要な情報（注文情報に含まれる指定情報）をコンピュータ２２に配信するためのウェブサイトの提供を行なっている。
【００２６】
情報管理システム３０を構成する情報管理サーバ３４は、データベース３４ａに記憶される各種情報を管理するサーバとして構成されている。このデータベース３４ａには、前述した、Ｗｅｂサーバ３２から出力された注文情報やコンピュータ２２で実行される検査用のプログラム、その他の検査に必要な情報などが記憶されている。
【００２７】
クライアント２０のコンピュータ２２は、ＣＰＵ２３やメモリ２４，ハードディスク２５，ディスプレイ２６，キーボード２７などからなる周知のパーソナルコンピュータとして構成されている。このコンピュータ２２は、検査用のプログラムをＷｅｂサーバ３２からダウンロードすると共に製品出荷時にクライアント２０に提供されるシリアル番号をもとに注文情報に含まれる指定情報をＷｅｂサーバ３２からダウンロードしてコンピュータ２２を構成する部品の自己検査を行なう。
【００２８】
次に、こうして構成された実施例の自己検査装置として機能するコンピュータ２２や情報管理システム３０の動作について説明する。まず、インターネット１２に接続されたコンピュータ２２を用いてクライアント２０が、情報管理システム３０のＷｅｂサーバ３２が提供するウェブサイト上でコンピュータ製品を購入する際の動作について説明する。クライアント２０がＷｅｂサーバ３２が提供するコンピュータ製品購入用のウェブサイトにアクセスすると、Ｗｅｂサーバ３２は、コンピュータ製品の購入する際に必要な事項をクライアント２０に入力させるための入力画面をコンピュータ２２に送信する。この入力画面の一例を図２に示す。図示するように、画面上には、「ＯＳ」や「ＣＰＵ」「メモリ」等の部品の指定が必須の必須項目についてプルダウンメニューを用いて指定するための「本体必須仕様」の覧と、「ディスプレイ」や「アプリケーション」等の部品の指定が任意の任意項目についてプルダウンメニューを用いて指定するための「オプション＆サービス」の覧とが設けられている。各覧においてプルダウンメニューにより部品が指定されると、その指定された部品の価格が「小計」の覧と「消費税」の覧と「合計」の覧とに反映される。また、「数量」の覧にはデフォルト値として「１」が設定されているが、２台以上の購入を希望する際にはその台数を入力する。各項目の入力後に「次へ」ボタンをクリックすると、代金の支払い方法を指定するための入力画面（図示せず）に進む。代金の支払い方法が指定されると、さらに、クライアント２０の氏名や住所等の個人データを入力するための入力画面（図示せず）に進む。各情報の入力を完了させて注文ボタンをクリックすると、インターネット１２経由でクライアント２０により入力された注文情報がコンピュータ２２からＷｅｂサーバ３２に送信される。Ｗｅｂサーバ３２は、注文情報を受信すると、その注文情報にシリアル番号を付与して、情報管理サーバ３４にＬＡＮ３６を通じて出力する。情報管理サーバ３４は、注文情報を入力すると、この注文情報を付与されたシリアル番号に関連付けてデータベース３４ａに登録する。データベース３４ａに登録される注文情報の一例を図３に示す。情報管理サーバ３４は、注文情報に基づいてコンピュータの組み立てを行なうよう組立工場に指示を出し、組立工場にて指示に応じた部品をピックアップして組み立て作業を行なうことにより商品としてのコンピュータ製品が完成する。
【００２９】
次に、クライアント２０のコンピュータ２２を実施例の自己検査装置として機能させるための検査用のプログラムをコンピュータ２２にダウンロードする処理について説明する。図４は、Ｗｅｂサーバ３２により実行される検査用プログラム配信処理の一例を示すフローチャートである。この処理は、クライアント２０がコンピュータ２２を用いてＷｅｂサーバ３２が提供するプログラムダウンロード用のウェブサイトにアクセスしたときに実行される。検査用プログラム配信処理では、Ｗｅｂサーバ３２は、クライアント２０のコンピュータ２２に対してＩＤ入力画面を送信する（ステップＳ１００）。このＩＤ入力画面の一例を図５に示す。図５において、コンピュータ２２に表示されたＩＤ入力画面の入力欄にＩＤとパスワードが入力され、「ダウンロード」ボタンが押されるとその情報がＷｅｂサーバ３２に送信される。Ｗｅｂサーバ３２は、受信されたＩＤとパスワードとによりクライアント２０の認証を行ない（ステップＳ１０２）、クライアント２０が認証されると、検査用のプログラムを情報管理サーバ３４のデータベース３４ａから取得し、これをコンピュータ２２に配信して（ステップＳ１０４）、終了する。これにより、検査用のプログラムのダウンロードが開始されることになる。検査用のプログラムがクライアント２０のコンピュータ２２にダウンロードされると、コンピュータ２２は、このプログラムを自動実行して自己検査を開始する。尚、ステップＳ１０２でクライアント２０が認証されなかったときには、ダウンロード処理を行なうことなくエラー情報をコンピュータ２２に送信して終了する。
【００３０】
続いて、コンピュータ２２に配信されたプログラムに従って実行される自己検査処理について説明する。図６は、クライアント２０のコンピュータ２２と情報管理システム３０とにより実行される自己検査処理の一例を示すフローチャートである。図中の破線の左側の処理はコンピュータ２２により実行され、右側の処理は情報管理システム３０により実行される。このルーチンは、クライアント２０のコンピュータ２２がＷｅｂサーバ３２が提供する自己検査用のウェブサイトにアクセスされ、検査開始の要求が情報管理システム３０に送信されることにより始まる（ステップＳ２００）。
【００３１】
情報管理システム３０は、検査開始の要求を受け付けると、コンピュータ２２に付与されたシリアル番号に対応する指定情報をコンピュータ２２に送信するためにシリアル番号を入力させるシリアル番号入力画面をコンピュータ２２に送信する（ステップＳ２０２）。クライアント２０のコンピュータ２２は、シリアル番号入力画面を受信すると、このシリアル番号入力画面をディスプレイ２６に表示する（ステップＳ２０４）。シリアル番号入力画面の一例を図７に示す。シリアル番号の入力は、実施例では、クライアント２０に提供されたシリアル番号をキーボード２７等を用いて入力することにより行なうものとした。もとより、例えば、バーコードをもってクライアント２０に提供されたシリアル番号をバーコードリーダを用いて入力するなどの他の入力方法を採用するものとしても構わない。クライアント２０によりシリアル番号が入力され「ダウンロード」ボタンがクリックされると、入力されたシリアル番号を情報管理システム３０に送信する（ステップＳ２０６）。
【００３２】
情報管理システム３０は、シリアル番号を受け付けると、このシリアル番号に対応する指定情報をデータベース３４ａから検索し（ステップＳ２０８）、検索した指定情報をコンピュータ２２に送信する（ステップＳ２１０）。
【００３３】
クライアント２０のコンピュータ２２は、指定情報を受信すると、自己のハードウェア構成とソフトウェア構成に関する部品情報（コンピュータ２２に実装されているＣＰＵの種類やメモリの容量などに関する情報）をチェックし（ステップＳ２１２）、チェックされた部品情報と指定情報（クライアント２０がコンピュータ２２の注文時に指定したＣＰＵの種類やメモリの容量などに関する情報）との比較を行ない（ステップＳ２１４）、比較結果をコンピュータ２２のディスプレイに表示すると共に情報管理システム３０に送信する（ステップＳ２１６）。ここで、部品情報と指定情報との比較は、コンピュータ２２を構成する部品毎に部品情報と指定情報とが一致しているか否かにより行なわれ、両者が一致しているときには「ＯＫ」を、一致していないときには「ＮＧ」を出力する。コンピュータ２２のディスプレイ２６に表示される比較結果の一例を図８に示す。
【００３４】
情報管理システム３０は、比較結果を受信すると、この比較結果をシリアル番号に関連付けて情報管理サーバ３４ａに登録して（ステップＳ２１８）、本ルーチンを終了する。データベース３４ａに登録される比較結果の一例を図９に示す。
【００３５】
以上説明した実施例の自己検査装置によれば、クライアント２０のコンピュータ２２を自己検査装置として機能させてコンピュータ２２を構成する部品に関する部品情報とクライアント２０がコンピュータ２２の購入の際の部品の指定に関する指定情報との比較により自己検査を行なうから、コンピュータ２２を構成する部品について容易かつ正確に検査することができる。しかも、検査用のプログラムや指定情報は情報管理システム３０により配信されるから、コンピュータ２２の負担を低減できると共にプログラムや指定情報の管理を適切に行なうことができる。
【００３６】
また、実施例の自己検査装置によれば、コンピュータ２２上での自己検査の結果をディスプレイ２６に表示するから、クライアント２０は検査結果を直ちに入手することができる。さらに、検査結果は情報管理システム３０に出力されて情報管理サーバ３４のデータベース３４ａにシリアル番号と共に登録されるから、クライアント２０がこのデータベース３４ａにアクセスすることにより、その後に検査結果を容易に入手することができる。
【００３７】
ここで、実施例の自己検査装置は、ＣＰＵ２３やキーボード２７などが指定情報取得手段や部品情報取得手段，検査手段に相当し、ＣＰＵ２３やディスプレイ２６などが出力手段に相当する。
【００３８】
実施例の自己検査装置では、検査用のプログラムを情報管理サーバ３４のデータベース３４ａからインターネット１２を介して取得するものとしたが、検査用のプログラムをコンピュータ２２で読み出し可能な記憶媒体（例えば、ＦＤＤやＣＤ−ＲＯＭ，ＤＶＤ−ＲＯＭなど）に記憶させておくことによりこの記憶媒体から検査用のプログラムを取得するものとしても構わない。また、実施例の自己検査装置では、指定情報を情報管理サーバ３４のデータベース３４ａからインターネット１２を介して取得するものとしたが、コンピュータ２２のハードディスク２５などの外部記憶装置に指定情報を書き込んでおくことによりこの外部記憶装置から指定情報を読み出すことにより取得するものとしても構わない。もとより、指定情報をコンピュータ２２で読み出し可能な記憶媒体（例えば、ＦＤＤやＣＤ−ＲＯＭ，ＤＶＤ−ＲＯＭ、バーコードなど）に記憶させておくことによりこの記憶媒体から指定情報を取得するものとしても構わない。このように、検査用のプログラムや指定情報を、コンピュータ２２の外部記憶装置やコンピュータ２２で読み出し可能な記憶媒体に記憶させておくものとすれば、スタンドアローンでコンピュータ２２を実施例の自己検査装置として機能させることができる。
【００３９】
実施例の自己検査装置では、コンピュータ製品に適用するものとしたが、複数の部品の中からクライアントが指定した部品により構成された製品であれば、例えば、家電製品や自動車，自転車，オートバイなど種々の製品に適用するものとしても構わない。
【００４０】
実施例では、コンピュータ２２でチェックされた構成部品に関する情報とクライアント２０がコンピュータ２２を購入する際に指定した部品に関する情報との比較により自己検査を行なう自己検査装置の形態として説明したが、この自己検査装置を制御する方法の形態としてもよく、あるいは、コンピュータを実施例の自己検査装置として機能させるプログラムの形態としてもよい。プログラムの形態とする場合には、図６に例示した検査処理の各ステップを適当なプログラム言語を用いてプログラムし、コンピュータにインストールすればよい。
【００４１】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】検査システム１０の構成の概略を示す構成図。
【図２】コンピュータ製品の注文に用いられる入力画面の一例を示す図。
【図３】データベース３４ａに登録される注文情報の一例を示す図。
【図４】検査用プログラム配信処理の一例を示す図。
【図５】ＩＤ入力画面の一例を示す図。
【図６】検査処理の一例を示す図。
【図７】シリアル番号入力画面の一例を示す図。
【図８】ディスプレイ２６に表示される検査結果の一例を示す図。
【図９】データベース３４ａに登録される検査結果の一例を示す図。
【符号の説明】
１０  検査システム、１２  インターネット、２０  クライアント、２２  コンピュータ、２３  ＣＰＵ、２４  メモリ、２５  ハードディスク、２６  ディスプレイ、２７  キーボード、３０  情報管理システム、３２  Ｗｅｂサーバ、３４  情報管理サーバ、３４ａ  データベース、３６  ＬＡＮ。
【図１】
2004213457.tif 000003
【図２】
2004213457.tif 000004
【図３】
2004213457.tif 000005
【図４】
2004213457.tif 000006
【図５】
2004213457.tif 000007
【図６】
2004213457.tif 000008
【図７】
2004213457.tif 000009
【図８】
2004213457.tif 000010
【図９】
2004213457.tif 000011